【手続補正書】
【提出日】令和2年11月26日(2020.11.26)
【手続補正１】
【補正対象書類名】特許請求の範囲
【補正対象項目名】全文
【補正方法】変更
【補正の内容】
【特許請求の範囲】
【請求項１】
少なくとも１つの外部装置（４）とのオーディオ通信のための補聴装置（２）であって、前記補聴装置（２）は、
処理済第１シグナル（８）を与えるための処理ユニット（６）と、
前記処理ユニット（６）に接続される第１音響入力トランスデューサ（１０）であって、第１音響シグナル（１２）を、前記処理済第１シグナル（８）を与えるための前記処理ユニット（６）に対する第１入力シグナル（１４）に変換するように構成される、前記第１音響入力トランスデューサ（１０）と、
第２入力シグナル（１８）を与えるための第２入力トランスデューサ（１６）と、
前記処理ユニット（６）に接続される音響出力トランスデューサ（２０）であって、前記処理済第１シグナル（８）を前記音響出力トランスデューサ（２０）のオーディオ出力シグナル（２２）に変換するように構成される、前記音響出力トランスデューサ（２０）と、を備えており、
前記第２入力シグナル（１８）は、前記第２入力トランスデューサ（１６）において、前記音響出力トランスデューサ（２０）からの前記オーディオ出力シグナル（２２）と、前記補聴装置（２）のユーザ（２６）からの体内伝導音声シグナル（２４）を少なくとも変換することによって与えられ、
前記補聴装置（２）は、音声シグナル（３０）を抽出するためのユーザ音声抽出ユニット（２８）であって、前記処理済第１シグナル（８）を受信するために前記処理ユニット（６）に接続されているとともに、前記第２入力シグナル（１８）を受信するために前記第２入力トランスデューサ（１６）に接続されている前記ユーザ音声抽出ユニット（２８）を備えており、
前記ユーザ音声抽出ユニット（２８）は、前記第２入力シグナル（１８）と前記処理済第１シグナル（８）とに基づいて、前記音声シグナル（３０）を抽出するように構成されており、
前記音声シグナル（３０）は、少なくとも１つの外部装置（４）に送信されるように構成されており、
前記補聴装置（２）は、さらに、抽出された前記音声シグナル（３０）を前記少なくとも１つの外部装置（４）に送信する前に、抽出された前記音声シグナル（３０）および／または前記第１入力シグナル（１４）に基づいて、抽出された前記音声シグナル（３０）を処理するための音声処理ユニット（３６）を備えている、補聴装置（２）。
【請求項２】
前記体内伝導音声シグナル（２４）が、前記ユーザ（２６）の口および喉から発生し、前記ユーザ（２６）の骨構造、軟骨、軟組織、組織および／または皮膚を通って前記ユーザ（２６）の耳（５２）に伝わり、前記第２入力トランスデューサ（１６）によって検知されるように構成される、請求項１に記載の補聴装置（２）。
【請求項３】
前記第２入力トランスデューサ（１６）が、前記補聴装置（２）の前記ユーザ（２６）の外耳道（５４）に配置されるように構成されている、請求項１または２に記載の補聴装置（２）。
【請求項４】
前記第２入力トランスデューサ（１６）が、振動センサおよび／または骨伝導センサおよび／または運動センサおよび／または音響センサである、請求項１から３のいずれか一項に記載の補聴装置（２）。
【請求項５】
前記第１音響入力トランスデューサ（１０）は、前記補聴装置（２）の前記ユーザ（２６）の外耳道（５４）の外側に配置されるように構成され、前記第１音響入力トランスデューサ（１０）は、前記ユーザ（２６）の周囲からの音を検出するように構成される、請求項１から４のいずれか一項に記載の補聴装置（２）。
【請求項６】
第１の送信されたシグナル（３２）が、前記少なくとも１つの外部装置（４）から前記補聴装置（２）に与えられ、前記第１の送信されたシグナル（３２）は、前記音声シグナル（３０）を抽出するための前記ユーザ音声抽出ユニット（２８）に与えられる前記処理済第１シグナル（８）および前記第２入力シグナル（１８）に含まれる、請求項１から５のいずれか一項に記載の補聴装置（２）。
【請求項７】
前記ユーザ音声抽出ユニット（２８）が、前記第２入力シグナル（１８）から前記オーディオ出力シグナル（２２）をキャンセルするように構成された第１フィルタ（３４）を備えている、請求項１から６のいずれか一項に記載の補聴装置（２）。
【請求項８】
前記音声処理ユニット（３６）は、抽出された前記音声シグナル（３０）中に存在する前記第１音響シグナル（１２）の任意の部分を最低限にするように構成された第２フィルタ（４０）を少なくとも備えている、請求項１から７のいずれか一項に記載の補聴装置（２）。
【請求項９】
前記音声処理ユニット（３６）は、抽出された前記音声シグナル（３０）のスペクトルの内容を前記体内伝導音声シグナル（２４）とは異なるスペクトルの内容を有するように形成するためのスペクトル形成ユニット（４２）を備えている、請求項１から８のいずれか一項に記載の補聴装置（２）。
【請求項１０】
前記音声処理ユニット（３６）は、抽出された前記音声シグナル（３０）の帯域幅を拡張するように構成された帯域幅拡張ユニット（４４）を備えている、請求項１から９のいずれか一項に記載の補聴装置（２）。
【請求項１１】
前記音声処理ユニット（３６）は、前記音声処理ユニット（３６）の電源を入れる／切断するように構成される音声活動検出器（４６）を備えており、抽出された前記音声シグナル（３０）は、前記音声活動検出器（４６）に入力として与えられる、請求項１から１０のいずれか一項に記載の補聴装置（２）。
【請求項１２】
抽出された前記音声シグナル（３０）は、前記第２入力トランスデューサ（１６）において、前記第１音響シグナル（１２）をさらに変換することによって与えられる、請求項１から１１のいずれか一項に記載の補聴装置（２）。
【請求項１３】
第１補聴装置と第２補聴装置とを備える両耳用補聴装置システムであって、前記第１補聴装置および／または前記第２補聴装置は、請求項１から１２のいずれか一項に記載の補聴装置（２）であり、前記第１補聴装置からの抽出された前記音声シグナルは、第１の抽出された音声シグナルであり、前記第２補聴装置からの抽出された前記音声シグナルは、第２の抽出された音声シグナルであり、前記第１の抽出された音声シグナルおよび／または前記第２の抽出された音声シグナルは、前記少なくとも１つの外部装置（４）に送信されるように構成される、両耳用補聴装置システム。
【請求項１４】
補聴装置と少なくとも１つの外部装置（４）との間のオーディオ通信のための前記補聴装置（２）における方法であって、前記補聴装置（２）は、処理ユニット（６）と、第１音響入力トランスデューサ（１０）と、第２入力トランスデューサ（１６）と、音響出力トランスデューサ（２０）と、ユーザ音声抽出ユニット（２８）と、音声処理ユニット（３６）を備えており、前記方法は、
前記処理ユニット（６）において、処理済第１シグナル（８）を与えること（８０１）と、
前記第１音響入力トランスデューサ（１０）において、第１音響シグナル（１２）を第１入力シグナル（１４）に変換すること（８０２）と、
前記第２入力トランスデューサ（１６）において、第２入力シグナル（１８）を与えること（８０３）と、
前記音響出力トランスデューサ（２０）において、前記処理済第１シグナル（８）をオーディオ出力シグナル（２２）に変換すること（８０４）と、を含み、
前記第２入力シグナル（１８）は、前記第２入力トランスデューサ（１６）において、前記音響出力トランスデューサ（２０）からの前記オーディオ出力シグナル（２２）と、前記補聴装置（２）のユーザ（２６）からの体内伝導音声シグナル（２４）を少なくとも変換することによって与えられ、
前記ユーザ音声抽出ユニット（２８）において、前記第２入力シグナル（１８）および前記処理済第１シグナル（８）に基づいて、音声シグナル（３０）を抽出（８０５）し、
抽出された前記音声シグナル（３０）を前記少なくとも１つの外部装置（４）に送信する（８０６）前に、抽出された前記音声シグナル（３０）および／または前記第１入力シグナル（１４）に基づいて、音声処理ユニット（３６）によって処理すること、
を含む、方法。